(57)【要約】【課題】  左右方向に連続して設ける場合に、ウエイトが邪魔にならず左右の吊下式戸の間隔を小さくできる吊下式戸とする。【解決手段】  壁体１の開口部２の周縁に沿って上横突部６、縦突部７を設けて壁体１の表面１ａよりも張り出した戸体当り面２ａとし、前記開口部２を開閉する戸体３を閉じ位置と開放位置に亘って上下動自在とし、その開放位置の戸体３の裏面３ｂと壁体１の表面１ａとの間にウエイト５を上下動自在に設け、このウエイト５で戸体３に上向き力を付与すると共に、そのウエイト５が戸体３の幅内に位置するようにし、左右方向に連続して設ける場合にウエイト５が邪魔にならないようにする。【選択図】図１
2007023491.tif 000002
【特許請求の範囲】
【請求項１】
建物の壁体１の開口部２を戸体３で開閉し、その戸体３は開口部２を閉じる下方の閉じ位置と開口部２を開放する上方の開放位置に亘って上下動自在で、
前記戸体３は電動モータ４を駆動することで閉じ位置と開放位置とに移動され、かつ戸体３はウエイト５で上向きの力が付与され、
前記ウエイト５は戸体３の幅内に位置し、戸体３の左右縦端面３ａ，３ａよりも側方に張り出すことがないようにしたことを特徴とする吊下式戸。
【請求項２】
壁体１における開口部２の上部にウエイト５を上下動自在に設け、
戸体３が開放位置の時にはウエイト５が下方位置で、その戸体３の裏面３ｂと壁体１との間にウエイト５が位置し、戸体３が閉じ位置の時にウエイト５が上方位置である請求項１記載の吊下式戸。
【請求項３】
開口部２の周縁の戸体当り面２ａが壁体１の開口部２よりも上部の表面１ａよりも張り出し、その表面１ａと開放位置の戸体３の裏面３ｂとの間にウエイト取付用の空間ａを形成し、この空間ａにウエイト５を上下動自在に設けた請求項２記載の吊下式戸。
【請求項４】
壁体１の開口部２の周縁に、壁体１の表面１ａよりも突出した突部を設けて戸体当り部とし、その戸体当り部の表面を戸体当り面２ａとした請求項３記載の吊下式戸。
【請求項５】
空間ａの上部寄りに、電動モータ４と、この電動モータ４で回転駆動される回転軸８を設け、
その回転軸８に回転体を設け、この回転体に巻掛けた索条の一端部を戸体３に連結し、他端部をウエイト５に連結した請求項３又は４記載の吊下式戸。
【発明の詳細な説明】
【技術分野】
【０００１】
本発明は、冷凍倉庫や格納庫、一般倉庫、ラックビルなどに用いる吊下式戸に関する。
【背景技術】
【０００２】
建物の開口部を開閉する戸体を、その開口部を閉じる下方の閉じ位置と開口部を開放する上方の開放位置に亘って上下動自在とし、電動モータを駆動することで戸体を上方の開放位置と下方の閉じ位置に移動する吊下式戸が知られている。
前述の吊下式戸においては戸体の自重に見合う電動モータの駆動力が必要であるから、戸体の自重が大重量であると電動モータの駆動力が大きくなる。
このことを解消するために、特許文献１に開示された吊下式戸は、ウエイトを用いて戸体に上向きの力を付与し、電動モータの駆動力を戸体の自重に見合う値よりも小さくできるようにしている。
【０００３】
【特許文献１】特開２００１−０２０５９５号公報
【発明の開示】
【発明が解決しようとする課題】
【０００４】
前述した従来の吊下式戸は、戸体よりも左右側方にウエイトが設けてあり、そのウエイトと戸体が左右方向に離隔している。
このために、複数の吊下式戸を左右方向に連続して設ける場合に、ウエイトが邪魔になり、左右に隣接した吊下式戸の間隔が大きくなってしまう。
【０００５】
本発明の目的は、左右方向に連続して設ける場合にウエイトが邪魔にならずに間隔を小さくできる吊下式戸を提供することである。
【課題を解決するための手段】
【０００６】
第１の発明は、建物の壁体１の開口部２を戸体３で開閉し、その戸体３は開口部２を閉じる下方の閉じ位置と開口部２を開放する上方の開放位置に亘って上下動自在で、
前記戸体３は電動モータ４を駆動することで閉じ位置と開放位置とに移動され、かつ戸体３はウエイト５で上向きの力が付与され、
前記ウエイト５は戸体３の幅内に位置し、戸体３の左右縦端面３ａ，３ａよりも側方に張り出すことがないようにしたことを特徴とする吊下式戸である。
【０００７】
第２の発明は、第１の発明において、壁体１における開口部２の上部にウエイト５を上下動自在に設け、
戸体３が開放位置の時にはウエイト５が下方位置で、その戸体３の裏面３ｂと壁体１との間にウエイト５が位置し、戸体３が閉じ位置の時にウエイト５が上方位置である吊下式戸である。
【０００８】
第３の発明は、第２の発明において、開口部２の周縁の戸体当り面２ａが壁体１の開口部２よりも上部の表面１ａよりも張り出し、その表面１ａと開放位置の戸体３の裏面３ｂとの間にウエイト取付用の空間ａを形成し、この空間ａにウエイト５を上下動自在に設けた吊下式戸である。
【０００９】
第４の発明は、第３の発明において、壁体１の開口部２の周縁に、壁体１の表面１ａよりも突出した突部を設けて戸体当り部とし、その戸体当り部の表面を戸体当り面２ａとした吊下式戸である。
【００１０】
第５の発明は、第３又は第４の発明において、空間ａの上部寄りに、電動モータ４と、この電動モータ４で回転駆動される回転軸８を設け、
その回転軸８に回転体を設け、この回転体に巻掛けた索条の一端部を戸体３に連結し、他端部をウエイト５に連結した吊下式戸である。
【発明の効果】
【００１１】
請求項１に係る発明によれば、吊下式戸を左右方向に連続して設ける場合に、ウエイト５が邪魔にならずに左右の吊下式戸の間隔を小さくできる。
【００１２】
請求項２に係る発明によれば、ウエイト５は常時開口部２よりも上に有り、開口部２よりも下まで移動することがないし、戸体３が開放位置の時にウエイト５が戸体３で覆われる。
したがって、ウエイト５が誤って人に衝突するなどのことがないし、戸体３が開放位置の時にウエイト５が見えずに見栄えが良い。
【００１３】
請求項３に係る発明によれば、開放位置の戸体３の裏面３ｂと壁体１の表面１ａとの間にウエイト５を設けたので、ウエイト５が邪魔にならずに戸体３を閉じ位置と開放位置とに亘って直線状に上下動することができるし、閉じ位置で戸体３を戸体当り面２ａに接することができる。
【００１４】
請求項４に係る発明によれば、壁体１の開口部２の周縁に突部を設ければ良く、壁体１に複数の吊下式戸を左右方向に連続して設ける場合に好ましい。
【００１５】
請求項５に係る発明によれば、ウエイト５の重量が戸体３に上向き力として効率良く伝達できると共に、電動モータ４の駆動力を戸体に下向き力、上向き力として効率良く伝達することができる。
【発明を実施するための最良の形態】
【００１６】
本発明の実施の形態を図１、図２、図３に基づいて説明する。
建物の壁体１に開口部２が形成してある。
この開口部２は戸体３で開閉される。その戸体３は開口部２を閉じる下方の閉じ位置と開口部２を開放する上方の開放位置に亘って上下動自在で、吊下式戸を形成している。
前記戸体３は電動モータ４を駆動することで閉じ位置と開放位置とに移動されると共に、その戸体３はウエイト５で上向きの力が付与されている。
このウエイト５は戸体３の左右縦端面３ａ，３ａ内（つまり幅内）に位置し、そのウエイト５は戸体３の左右縦端面３ａ，３ａよりも側方に張り出すことがない。
【００１７】
このようであるから、吊下式戸を左右方向に連続して設ける場合にウエイト５が邪魔にならず、左右の吊下式戸の間隔を小さくできる。
【００１８】
この実施の形態では、壁体１における開口部２の上部にウエイト５が上下動自在に設けてあり、戸体３が開放位置の時にはウエイト５が下方位置で、その戸体３の裏面３ｂと壁体１との間にウエイト５が位置し、戸体３が閉じ位置の時にはウエイト５は上方位置とする。
このようであるから、ウエイト５は常時開口部２よりも上にあり、開口部２よりも下まで移動することがないし、戸体３が開放位置の時にウエイト５が戸体３で覆われるので、そのウエイト５が誤って人に衝突するなどのことがないし、戸体３が開放位置の時にウエイト５が見えずに見栄えが良い。
なお、ウエイト５は戸体３の表面３ｃ側に設けても良い。
【００１９】
この実施の形態では、開口部２の周縁における戸体３の裏面３ｂが接する面、つまり戸体当り面２ａは、壁体１の開口部２よりも上部の表面１ａよりも張り出し、その開口部２よりも上部の表面１ａと開放位置の戸体３の裏面３ｂとの間にウエイト取付用の空間ａを形成し、この空間ａにウエイト５が上下動自在に設けてある。このウエイト５の幅は戸体３の幅と同一、又は若干小さく（つまり、ほぼ同一幅）、そのウエイト５の厚さが小さくとも重量を重くでき、前述の空間ａの戸体３の厚さ方向の間隙を小さくできる。
【００２０】
例えば、壁体１の開口部２の周縁に沿って上横突部６、左右の縦突部７を設けて壁体１の表面１ａよりも張り出したコ字状の戸体当り部とし、その戸体当り部の表面（上横突部６、左右の縦突部７の表面）を前述の戸体当り面２ａとする。
そして、戸体３を開放位置とした時に、その戸体３の裏面３ｂと壁体１の表面１ａとの間に隙間が生じ、前述の空間ａとしている。
このようにすれば、壁体１に開口部２を形成し、その開口部２の周縁に突部を設ければ良いので、壁体１に複数の吊下式戸を左右方向に連続して設ける場合に好ましい。
【００２１】
なお、図示を省略するが壁体１の表面１ａにおける開口部２よりも上部に戸体３よりも若干大きな凹陥部を形成し、この凹陥部と開放位置の戸体の裏面との間にウエイト取付用の空間を形成しても良い。
【００２２】
この実施の形態では、前述の空間ａの上部寄りに、電動モータ４と、この電動モータ４で回転駆動される回転軸８を設け、その回転軸８に設けた回転体、例えばスプロケット９に索条、例えばチェーン１０を巻掛け、そのチェーン１０の一端部１０ａを戸体３に連結し、他端部１０ｂをウエイト５に連結している。
このようにすれば、ウエイト５の重量が戸体３に上向き力として効率よく伝達することができると共に、電動モータ４の駆動力が戸体３に下向き力、上向き力として効率良く伝達する。
【００２３】
なお、図示は省略するが、前述のスプロケット９と戸体表裏面方向に間隔を置いて他のスプロケットを設け、チェーン１０の一端部１０ａ寄り部分を前述のスプロケット９に巻掛けて戸体３に連結し、他端部１０ｂ寄り部分を他のスプロケットに巻掛けてウエイト５に連結するようにしても良いし、チェーン１０の一端部１０ａ寄り部分を他のスプロケットに巻掛け、他端部１０ｂ寄り部分を前述のスプロケット９に巻掛けるようにしても良い。
【００２４】
この実施の形態では、戸体３は戸体用ガイドレール１１に沿って上下動する。例えば、戸体３の上部と下部に上部ガイドローラ１２、下部ガイドローラ１３を取付け、その上部・下部ガイドローラ１２，１３が戸体用ガイドレール１１に沿って回転動する。
前述のウエイト５は、ウエイト用ガイドレール１４に沿って上下動する。例えば、ウエイト５に取付けたガイドローラ１５がウエイト用ガイドレール１４に沿って回転動する。
前記戸体用ガイドレール１１、ウエイト用ガイドレール１４の取付けについて説明する。
図１と図２に示すように床２０と天井２１とに亘って左右一対の縦フレーム２２がそれぞれ取付けてある。
この各縦フレーム２２に図３に示すようにブラケット２３を介して前述の戸体用ガイドレール１１が取付けてある。この戸体用ガイドレール１１は前記開口部２の左右両側方に位置する。
図１と図２に示すように、前記左右の縦フレーム２２の開口部２よりも上部間に下横フレーム２４が固着され、この下横フレーム２４にウエイト用ガイドレール１４がそれぞれ固着してある。
【００２５】
この実施の形態では、前述の縦フレーム２２に電動モータ４、回転軸８、スプロケット９が取付けてある。
例えば、一対の縦フレーム２２の上端部間に上横フレーム２５が横架して固着してある。この上横フレーム２５にブラケット２６を介して電動モータ４が取付けてあると共に、その上横フレーム２５にブラケット２７、軸受２８を介して回転軸８が回転自在に取付けてある。
前記電動モータ４の出力側と回転軸８を伝動機構２９、例えば駆動スプロケット２９ａ、チェーン２９ｂ、従動スプロケット２９ｃを介して連結する。
【００２６】
前述したように、この実施の形態では戸体用ガイドレール１１、ウエイト用ガイドレール１４、電動モータ４と回転軸８とスプロケット９より成る駆動系が、左右の縦フレーム２２に取付けてあるので、壁体１の開口部２に吊下式戸を簡単に取付けできる。
例えば、前述の縦フレーム２２、ガイドレール、駆動系等をユニットとして組み立て、その縦フレーム２２を取付けることで戸体３とウエイト４を取付けて吊下式戸とすることができる。
【００２７】
この実施の形態では、戸体３を閉じ位置で、その裏面３ｂを戸体当り面２ａに押しつけできるようにしてある。
例えば、図４に示すように戸体用ガイドレール１１を上ガイドレール３０と下ガイドレール３１に分割し、その上ガイドレール３０に上部ガイドローラ１２が回転自在に接し、下ガイドレール３１に下部ガイドローラ１３が回転自在に接するようにする。
前記上ガイドレール３０の上部３０ａ、下ガイドレール３１の上部３１ａを前記戸体当り面２ａと平行とし、下部３０ｂ，３１ｂを戸体当り面２ａと平行に対して下端部が上端部よりも戸体当り面２ａ寄りとなるように斜めとし、戸体３が閉じ位置近くになると上部ガイドローラ１２、下部ガイドローラ１３が下部３０ｂ，３１ｂに沿って回転しながら移動するようにする。
これによって、戸体３が閉じ位置近くから閉じ位置まで移動する際に、その戸体３は戸体当り面２ａに向けて移動する。
【００２８】
前記戸体３の表面３ｃにおける上部左右と下部左右に引寄せブロック３２がそれぞれ取付けてある。
前記各縦フレーム２２（ブラケット２３）には引き寄せローラ３３が各引寄せブロック３２と対向してそれぞれ取付けてある。
前記引寄せブロック３２の表面３２ａは傾斜面で、この表面３２ａが引寄せローラ３３に接することで戸体３は戸体当り面２ａに向けて引き寄せられる。
【００２９】
この実施の形態では戸体３が耐火性能に優れたものとしてあると共に、戸体当り面２ａと戸体３の下面に加熱膨張シール材３４がそれぞれ設けてあり、火災時には、その加熱膨張シール材３４が膨張して戸体３の裏面５ｂと戸体当り面２ａとの間及び戸体３の下面と床との間をそれぞれ気密して火炎が通らないようにする。
これによって、防火性に優れた吊下式戸としてある。
【図面の簡単な説明】
【００３０】
【図１】本発明の実施の形態を示す吊下式戸の正面図である。
【図２】図１のＡ−Ａ断面図である。
【図３】図１のＢ−Ｂ断面図である。
【図４】戸体用ガイドレールの斜視図である。
【符号の説明】
【００３１】
１…壁体、１ａ…表面、２…開口部、２ａ…戸体当り面、３…戸体、３ａ…縦面、３ｂ…裏面、４…電動モータ、５ウエイト、８…回転軸、９…スプロケット（回転体）、１０…チェーン（索条）、１１…戸体用ガイドレール、１４…ウエイト用ガイドレール。
【図１】
2007023491.tif 000003
【図２】
2007023491.tif 000004
【図３】
2007023491.tif 000005
【図４】
2007023491.tif 000006